(57)【要約】【課題】  空きベッドが発生した際にベッド待ち患者に対してスムーズに割り当て作業を行うことが可能なナースコールシステムを提供する。【解決手段】  患者のＩＤにベッド待ち情報を関連付けたベッド待ち患者情報を記憶するベッド待ち患者情報記憶部８ｂと、空きベッド情報を記憶した空きベッド情報記憶部８ｄと、双方の一覧を表示するディスプレイ７ａとをナースコール親機３に設け、ナースコール親機３の操作により、ベッド待ち患者に空きベッドを割り当てできるようにした。【選択図】  図１
2006255104.tif 000002
【特許請求の範囲】
【請求項１】
患者が看護師を呼び出すためのナースコール子機と、前記ナースコール子機からの呼び出しを看護師に知らせるための廊下灯と、前記ナースコール子機からの呼び出しに応答するためのナースコール親機と、前記廊下灯及び前記ナースコール親機を制御する制御機とを有するナースコールシステムであって、  
患者のＩＤにベッド待ち情報を関連付けたベッド待ち患者情報を記憶するベッド待ち患者情報記憶部を前記システム内に設け、前記ナースコール親機は、前記ベッド待ち患者情報記憶部に記憶したベッド待ち患者情報を表示する表示手段を有することを特徴とするナースコールシステム。
【請求項２】
前記ナースコール親機に、患者情報を記憶したオーダリングシステムを接続し、前記ベッド待ち患者情報の中の患者データは、前記オーダリングシステムから抽出して作成されることを特徴とする請求項１記載のナースコールシステム。
【請求項３】
前記ナースコール親機は、前記ベッド待ち患者情報の登録，編集及び削除を実施可能とする編集制御手段を有することを特徴とする請求項１又は２記載のナースコールシステム。
【請求項４】
前記ナースコール親機の操作によって、前記ベッド待ちの個々の患者に対してベッド割り当ての優先度設定が可能であることを特徴とする請求項１乃至３のいずれかに記載のナースコールシステム。
【請求項５】
設定された前記優先度を基に、優先度順にベッド待ち患者情報を並び替える優先度判定手段を前記システム内に有し、前記ナースコール親機は並び替えたベッド待ち患者情報を前記表示手段に表示することを特徴とする請求項４に記載のナースコールシステム。
【請求項６】
前記ナースコール親機の前記表示手段は、前記ナースコール親機又は前記オーダリングシステムにおいて退院処理を行うことで、前記退院処理により発生した空きベッド情報を表示することを特徴とする請求項２乃至５の何れかに記載のナースコールシステム。
【請求項７】
前記ナースコール親機は、対応する病棟の入院患者情報を記憶する入院患者情報記憶部を有し、ベッド待ち患者情報に空きベッド情報を関連付けることで、その患者情報を前記入院患者情報記憶部に移行させる操作制御手段を有することを特徴とする請求項６に記載のナースコールシステム。
【発明の詳細な説明】
【技術分野】
【０００１】
本発明は、ナースコールシステムに関し、特にベッド待ち患者に対して空きベッドを割り当てる作業を行うことができるナースコールシステムに関する。
【背景技術】
【０００２】
従来のナースコールシステムでは、看護師が入院患者の情報を得やすくするために、患者情報を一覧表示したナースコールボードがナースセンタに設置され、患者からの呼び出しや急な応対をスムーズに行うことができるようにしていた。ところが、このナースコールボードは、患者の退院やベッド移動等で患者が入れ替わった場合、その都度患者の名前プレートを書き換えたり、医療看護データを示すマグネット等を付け替えたりする作業が必要であり、看護師にとって面倒な作業となっていた。
そのため、このナースコールボードを電子化して、簡易な操作で個々の患者情報の一覧表示を可能とし、また入院患者の変更を簡易に実施可能としたディスプレイをナースコール親機に備えたナースコールシステムがある（例えば、特許文献１参照）。このようなシステムでは、病室区分、患者氏名等の患者管理データや、患者の救護区分、医療・看護データ等をディスプレイに表示させることで、入院患者の管理をし易くし、また呼び出しのあった患者に対してスピーディな対応が可能となった。
【０００３】
【特許文献１】特開平０３−１１０２９号公報
【発明の開示】
【発明が解決しようとする課題】
【０００４】
しかしながら、上述するようなディスプレイを備えたナースコール親機は、入院患者の管理がし易くなったが、入院待ち（ベッド待ち）患者の情報が入院患者の情報と一括管理されていない為、ベッドが空いたときに速やかに割り当てる事ができず、まずベッド待ち患者を調べて、そのうち何れの患者を割り当てるか検討する必要があり、ベッドの割り当て作業に時間が掛かり、割り当て作業をする看護師等の作業者に負担が掛かっていた。
【０００５】
そこで、本発明はこのような問題点に鑑み、空きベッドが発生したら、ベッド待ち患者に対してスムーズに割り当て作業を行うことが可能なナースコールシステムを提供することを目的とする。
【課題を解決するための手段】
【０００６】
上記課題を解決する為に、請求項１に記載の発明は、患者が看護師を呼び出すためのナースコール子機と、ナースコール子機からの呼び出しを看護師に知らせるための廊下灯と、ナースコール子機からの呼び出しに応答するためのナースコール親機と、廊下灯及びナースコール親機を制御する制御機とを有するナースコールシステムであって、患者のＩＤにベッド待ち情報を関連付けたベッド待ち患者情報を記憶するベッド待ち患者情報記憶部をシステム内に設け、ナースコール親機は、ベッド待ち患者情報記憶部に記憶したベッド待ち患者情報を表示する表示手段を有することを特徴とする。
この構成により、ナースコールシステムがベッド待ち患者情報を所有し、ナースコール親機にそのベッド待ち患者情報を表示できるので、空きベッドが発生したらナースコール親機の表示を見てベッド割り当て作業ができ、別途ベッド待ち患者を調べる必要が無くなり、ベッド待ち患者の入院処理をスムーズに実施できる。
【０００７】
請求項２の発明は、請求項１に記載の発明において、ナースコール親機に、患者情報を記憶したオーダリングシステムを接続し、ベッド待ち患者情報の中の患者データは、オーダリングシステムから抽出して作成されることを特徴とする。
この構成により、患者情報のデータベースを有するオーダリングシステムから患者データを抽出してベッド待ち患者情報を作成するので、データ入力を別途行う必要が無く、作業者に負担がかからない。
【０００８】
請求項３の発明は、請求項１又は２に記載の発明において、ナースコール親機は、ベッド待ち患者情報の登録，編集及び削除を実施可能とする編集制御手段を有することを特徴とする。
この構成により、ナースコール親機の操作でベッド待ち患者情報のデータ更新を行うことができ、ベッド待ち患者の変更や空きベッドの割り当て操作等を容易に実施できる。
【０００９】
請求項４の発明は、請求項１乃至３のいずれかに記載の発明において、ナースコール親機の操作によって、ベッド待ちの個々の患者に対してベッド割り当ての優先度設定が可能であることを特徴とする。
この構成により、空きベッドが発生したら優先度順に患者を選択すれば良く、割り当てる患者をその都度選択する煩わしさがなくなり、看護師等の作業者の負担を軽減できる。
【００１０】
請求項５の発明は、請求項４に記載の発明において、設定された優先度を基に、優先度順にベッド待ち患者情報を並び替える優先度判定手段をシステム内に有し、ナースコール親機は、並び替えたベッド待ち患者情報を表示手段に表示することを特徴とする。
この構成により、並び替えたベッド待ち患者情報を表示するので、ナースコール親機を操作して表示された患者順にベッド待ち患者を空きベッドに割り当てれば良く、割り当て操作する看護師の負担を軽減できる。
【００１１】
請求項６の発明は、請求項２乃至５の何れかに記載の発明において、ナースコール親機の表示手段は、ナースコール親機又はオーダリングシステムにおいて退院処理を行うことで、退院処理により発生した空きベッド情報を表示することを特徴とする。
この構成により、空きベッドの状況が変化したら、その情報をナースコール親機に表示できるので、常に最新の情報を基に空きベッドをベッド待ち患者に割り当てることが可能となる。
【００１２】
請求項７の発明は、請求項６に記載の発明において、ナースコール親機は、対応する病棟の入院患者情報を記憶する入院患者情報記憶部を有し、ベッド待ち患者情報に空きベッド情報を関連付けることで、その患者情報を入院患者情報記憶部に移行させる操作制御手段を有することを特徴とする。
この構成により、空きベッドを割り当てた患者データは自動的に入院患者情報記憶部に移行するので、別途入院処理をする必要がなく作業者の負担を軽減できるし、患者登録漏れが発生することがない。
【発明の効果】
【００１３】
本発明によれば、ナースコールシステムがベッド待ち患者情報を所有し、ナースコール親機にそのベッド待ち患者情報を表示できるので、空きベッドが発生した際にナースコール親機の表示を見てベッド割り当て作業ができ、ベッド待ち患者を別途調べる必要が無くなり、ベッド待ち患者の入院処理をスムーズに実施できる。そして、ナースコール親機の操作でベッド待ち患者情報を操作できるので、空きベッドの割り当て操作等を容易に実施できる。
また、患者情報のデータベースであるオーダリングシステムから患者データを抽出してベッド待ち患者情報を作成できるので、データ入力を別途行う必要が無く、作業者に負担がかからない。
更に、ベッド待ち患者を優先度順に表示することで、表示順に空きベッドに割り当てればよく、患者をその都度選択する煩わしさがなくなり、操作する看護師等の作業者の負担を軽減できる。
【発明を実施するための最良の形態】
【００１４】
以下、本発明を具体化した実施の形態を、図面に基づいて詳細に説明する。図１は本発明に係るナースコールシステムの一例を示す構成図であり、１は看護師の呼び出し操作をするナースコール子機、２は呼び出しを看護師に知らせる廊下灯、３は看護師が患者からの呼び出しに応答するためのナースコール親機、４はナースコール親機３及び廊下灯２を制御する制御機、５は患者情報を管理するオーダリングシステムを示している。
尚、ナースコール子機１は、呼出操作するための呼出ボタン１ａとマイク，スピーカ等の通話手段を備えたプレート子機１ｂから構成され、ナースコール親機３は、ハンドセット６ａ及び患者情報等を表示するＬＣＤ６ｂを備えたＬＣＤ親機６と、入院患者情報の一覧を表示するディスプレイ７ａを備えたパーソナルコンピュータから成るＰＣ親機７とで構成されている。
【００１５】
ナースコール子機１はベッド毎に設置され、病室毎に病室の出入口付近に設置された廊下灯２に接続され、各廊下灯２は制御機４を介してナースコール親機３に接続されている。また、ナースコール親機３とオーダリングシステム５は、病院内に配設されたＬＡＮ８を介して接続されている。
【００１６】
また、ＰＣ親機７において、８は患者情報を記憶するメモリ、９はＰＣ親機を制御するＰＣ親機ＣＰＵを示し、図２に示すような患者情報で構成される患者情報記憶部８ａがメモリ８内に設けられている。具体的に患者情報記憶部８ａは、患者情報として、患者ＩＤ、氏名、性別、年齢、症状、ベッド番号、ベッド待ち患者の待ち優先度等のデータを有し、図２は記憶した患者情報を患者ＩＤ順に表示した状態を示している。このように、患者情報記憶部８ａは、ベッド待ち患者と入院患者の双方の情報から構成されている。
【００１７】
そして、この患者情報は、ＰＣ親機７のデータ表示機能によりディスプレイ７ａに表示でき、編集制御手段であるＰＣ親機ＣＰＵ９の制御により、ＰＣ親機７を操作して登録、編集および削除が可能となっている。但し、この患者情報のうち、患者の氏名、性別、年齢、症状等の患者データは、ＬＡＮ回線８を介してオーダリングシステム５の患者情報データベースから抽出して記載するようになっている。
【００１８】
尚、オーダリングシステム５は、入院患者情報を始め、外来患者、ベッド待ち患者の患者管理データ、即ち診療履歴を始め、救護区分や医療看護データ、更には投薬情報等を一括して記憶されているシステム（例えば、特開平８−３０６８４号公報参照）であり、このオーダリングシステム５からデータを取り出し、ＰＣ親機７に備えられたデータ変換機能により予め定めたフォーマットに変換することで図２に示す形態の情報として保存される。
【００１９】
次に、上記構成のナースコールシステムの動作について説明する。但し、ナースコール子機１を操作してナースステーションの看護師を呼出操作すること、ナースコール子機１からの呼び出しにナースコール親機３にて応答する動作については、従来のナースコールシステムと同様であり、本発明の要旨ではないため説明を省略し、ベッド待ち患者にベッドを割り当てる手順を中心に説明する。
【００２０】
まず、ＰＣ親機７の患者情報記憶部８ａに記憶している患者情報を基に、ベッド待ち患者情報の一覧を作成する。ベッド待ち患者情報の一覧は、ＰＣ親機７を操作して、患者情報記憶部８ａからベッド待ち状態にある患者を検索し、ベッド待ち患者一覧の表示に必要な情報（例：患者ＩＤ、氏名、性別、ベッド番号、待ち優先度、・・）を取得することで作成される。
作成されたベッド待ち患者情報は、ＰＣ親機７のメモリ８内に備えたベッド待ち患者情報記憶部８ｂに記憶される。図３は、このように作成したベッド待ち患者情報の一覧を示し、この一覧がＰＣ親機７のディスプレイ７ａに表示される。
【００２１】
そして、ベッド待ち患者情報には、図３に示すように優先度指定欄Ｐが設けられ、作成した一覧表に患者毎に待ち優先度を付与することができるようになっている。この優先度はＰＣ親機７の操作で付与でき、例えば１，２，３・・の番号で付与される。そして、このように付与された優先度を基にソート処理を実行することで、優先度判定手段としてのＰＣ親機ＣＰＵ９の演算処理により、図５に示すようなベッド待ち優先度順に並び替えを行ったベッド待ち患者情報の一覧を作成できる。
こうして作成されたベッド待ち患者情報は、ＰＣ親機７のデータ表示機能によりディスプレイ７ａに表示される。
【００２２】
一方、ＰＣ親機３は、図４の表に示すような空きベッドデータベースを有し、番号で管理された空きベッドデータを記憶した空きベッド情報記憶部８ｄをメモリ８内に備えている。
ＰＣ親機７やオーダリングシステム５から空きベッド発生の入力が成されると、この新たな空きベッド情報がナースコール親機３に通知され、ディスプレイ７ａに表示される。そして、この情報を基に空きベッド情報が空きベッドデータベースに登録される。これは、ＰＣ親機７が、空きベッド番号の通知を受けて、看護師等の作業者が通知された空きベッド番号を、データ変換機能を用いて空きベッドデータベースへ書き込むことで実施される。尚、空きベッドデータベースを自動更新させても良い。
そして、ＰＣ親機７は、このように空きベッドデータベースが更新されたら、データ表示機能によりディスプレイ７ａに図４に示す表形式で空きベッド情報の一覧を表示する。
【００２３】
こうして、ディスプレイ７ａには、ベッド待ち患者情報一覧に加えて空きベッド情報の一覧が表示され、双方を表示することでディスプレイ７ａを見ながらＰＣ親機７を操作してベッド待ちの患者のベッド番号に空きベッド番号の割り付けが実施できる。
そして、ベッド待ち患者情報一覧の例えば最も優先度の高い患者欄に空きベッド番号が入力されたら、操作制御手段であるＰＣ親機ＣＰＵ９の演算処理により、同時に入院患者情報記憶部８ｃに通知され、対応する患者データも更新される。同時に、割り当てられたベッド番号は、空きベッドデータベースから削除される。尚、ベッドを割り当てたベッド待ち患者情報の患者データは一覧から適宜削除すればよい。
【００２４】
上記操作手順の一例を具体的に示すと、ベッド待ち患者情報の取り出しは、患者情報記憶手段のベッド待ち状態にある患者のベッド番号に予め「０」を割り当てておき、この「０」情報を基に、例えばプログラミング言語にＳＱＬを使用した場合、”SELECT*FROM 患者情報WHEREベッド番号=0”と実行することにより、ベッド待ち患者情報が作成できる。また、優先度の変更は、”UPDATE 患者情報 SET 待ち優先度=1 WHERE 患者ID=2”と実行することにより、患者ＩＤ＝２のベッド待ち優先度を１に変更することができる。
更に、空きベッド番号の追加は、”INSERT INTO 空きベッドデータベース VALUES (通知された空きベッド番号)” と実行することにより、前記空きベッドデータベースに通知された空きベッド番号を追加することができるし、ベッド待ち患者へのベッド番号の割り付けは、”UPDATE 患者情報SETベッド番号＝通知された空きベッド番号 WHERE 患者 ID＝n”と実行すると共に、”DELETE FROM 空きベッドデータベース WHERE  ベッド番号=通知された空きベッド番号”と実行することにより、前記空きベッドデータベースから通知された空きベッド番号を削除することができる。
【００２５】
このように、ナースコールシステムがベッド待ち患者情報を所有し、ナースコール親機にベッド待ち患者情報を表示できるので、ナースコール親機の表示を見てベッド割り当ての作業を実施でき、ベッド待ち患者を別途調べる必要が無くなり、ベッド待ち患者の入院処理をスムーズに実施できる。
また、患者情報のデータベースであるオーダリングシステムから患者データを抽出してベッド待ち患者情報を作成するので、データ入力を別途行う必要が無く、作業者に負担がかからないし、ＰＣ親機により、登録、編集および削除ができるので、ナースコール親機の操作でベッド待ち患者の変更や空きベッドの割り当て操作等を容易に実施できる。
更に、ベッド待ち患者に優先度設定が成されるので、空きベッドが発生したら優先度順に患者に割り当てれば良く、割り当てる患者をその都度選択する煩わしさがなくなり、看護師等の作業者の負担を軽減できる。
また、空きベッドの状況が変化したら、その情報をナースコール親機に表示できるので、常に最新の情報を基に空きベッドをベッド待ち患者に割り当てることが可能となる。  また、ベッド待ち患者にベッドを割り当てると、空きベッドを割り当てた患者データは自動的に入院患者情報記憶部に移行するので、別途入院処理をする必要がなく作業者の負担を軽減できるし、患者登録漏れが発生することがない。
【００２６】
尚、上記実施形態では、ナースコール親機３のディスプレイ７ａに、ベッド待ち患者情報と空きベッド情報を表示し、ベッド割り当て操作をディスプレイ７ａ上で実施しているが、編集機能が無くディスプレイ７ａに表示させるだけでもベッドの割り当ては実施できるので作業者の負担を軽減できる。この場合、データの更新は、例えばオーダリングシステムで実施すれば良い。
また、優先度設定機能が無くても良く、ナースコール親機３の操作でベッドの割り当て作業を実施できれば有効に活用できる。
更に、ナースコール親機３にベッド待ち患者情報記憶部８ｂを設けているが、制御機４や元々患者情報を記憶しているオーダリングシステム５にベッド待ち患者情報記憶部を設けても良く、ナースコール親機３により必要なデータを引き出しできれば、ナースコール親機側でベッド待ち患者にベッドの割り当てが実施できる。
【図面の簡単な説明】
【００２７】
【図１】本発明に係るナースコールシステムの実施形態の一例を示す構成図である。
【図２】ナースコール親機の患者情報記憶部に記憶している患者情報の説明図である。
【図３】ナースコール親機のディスプレイに表示したベッド待ち患者情報の画面図である。
【図４】空きベッドデータベースのデータ説明図である
【図５】図３のベッド待ち患者情報データを優先度順に並び替えて表示した画面図である。
【符号の説明】
【００２８】
１・・ナースコール子機、２・・廊下灯、３・・ナースコール親機、４・・制御機、５・・オーダリングシステム、７・・ＰＣ親機、７ａ・・ディスプレイ（表示手段）、８・・メモリ、８ｂ・・ベッド待ち患者情報記憶部、８ｃ・・入院患者情報記憶部、８ｄ・・空きベッド情報記憶部、９・・ＰＣ親機ＣＰＵ（編集制御手段、操作制御手段、優先度判定手段）。
【図１】
2006255104.tif 000003
【図２】
2006255104.tif 000004
【図３】
2006255104.tif 000005
【図４】
2006255104.tif 000006
【図５】
2006255104.tif 000007